(57)【要約】【課題】建物等に配線した後に通信ケーブルを容易に取り出して分岐させることができ、より多くの通信ケーブルを保持することができる分岐型ケーブルを提供する。【解決手段】支持線２を備え、該支持線２を中心にして該支持線２の外周に断面円形状のケーブル保持部材３を設け、該ケーブル保持部材３の外周に中心軸方向に２条のケーブル４を重ね合わせて収納可能なケーブル保持溝５をＳＺ撚りに複数条形成し、前記複数条のケーブル保持溝５にケーブル４を保持して形成する。【選択図】  図１
2004227831.tif 000002
【特許請求の範囲】
【請求項１】
支持線を備え、該支持線を中心にして該支持線の外周に断面円形状のケーブル保持部材を設け、該ケーブル保持部材の外周に中心軸方向に２条のケーブルを重ね合わせて収納可能なケーブル保持溝をＳＺ撚りに複数条形成し、前記複数条のケーブル保持溝にケーブルを保持して形成することを特徴とする分岐型ケーブル。
【請求項２】
前記複数条のケーブル保持溝のそれぞれの溝位置は、その深さ方向中心が支持線中心から等角度になるように配置したものである請求項１に記載の分岐型ケーブル。
【請求項３】
前記複数条のケーブル保持溝は、深さ方向に、ダルマ型に形成したものである請求項１又は２に記載の分岐型ケーブル。
【請求項４】
前記ケーブル保持部材は、ポリブタジエンゴム等のゴム系材質、軟質プラスチック等の柔軟材、ポリエチレン系エラストマー等の弾性体、高発泡ポリエチレン、高発泡ポリプロピレンのいずれかである請求項１，２又は３に記載の分岐型ケーブル。
【発明の詳細な説明】
【０００１】
【発明の属する技術分野】
本発明は、ケーブル保持部材から容易にケーブルを取出して配線することが可能な分岐型ケーブルに関するものである。
【０００２】
【従来の技術】
マンションやビルディング、集合住宅、工場等における情報供給のための屋内配線に用いるケーブルには、支持線の周囲に複数本のＬＡＮ用ケーブルや電話用ケーブルなどの通信ケーブルが巻き付けられた分岐型ケーブルが用いられている。図６には従来の分岐型ケーブルの断面図が示されている。この分岐型ケーブル３０は、複数本の鋼線を撚り合わせてなる支持線３１の周囲に、ＬＡＮ用または電話用の通信ケーブル３２が複数本巻き付けられて撚り合わせられている。そして、この分岐型ケーブル３０は、たとえば図７に示すように配線されている。
【０００３】
図７において、この分岐型ケーブル３０は、マンション等の建物の屋内においてＬＡＮ配線や電話配線をする際に、マンション等の最下階から最上階まで分岐型ケーブル３０の支持線３１を通して、天井に取り付けられたフック３３で該支持線３１を支持し、この支持線３１の周囲に巻き付けられた通信ケーブル３２を、所定の配線箇所近傍で分岐型ケーブル３０本体から引出して分岐させ、分岐した通信ケーブル３２をそれぞれの機器３４に配線していた。
【０００４】
このように配線される分岐型ケーブル３０の通信ケーブル３２は、たとえば、マンション等の建物の４階に配線する通信ケーブル３２と、１階に配線する通信ケーブル３２とでは、配線のために必要な通信ケーブルの長さが異なるため、配線する通信ケーブル３２の最長の長さに（図においては４階までの長さ）に合わせて分岐型ケーブル３０を先に製造して、この分岐型ケーブル３０の通信ケーブル３２を、配線する各機器３４までの必要な長さに合わせ直して、再び撚り合わせる作業が行われていた。
【０００５】
しかし、この分岐型ケーブル３０は、通信ケーブル３２の本数が多い場合には、この通信ケーブル３２の合わせ直しの作業に手間がかかってしまい、分岐型ケーブル３０の配線作業の作業性が悪くなってしまっていた。
【０００６】
このため、図８に示すように、支持線３５の長手方向に一定の間隔をもって、木材やプラスチック等からなる複数の略円筒状のケーブル保持部材３６を設け、このケーブル保持部材３６に複数本の通信ケーブル３７を保持した構造の分岐型ケーブル３８が考案されている。
【０００７】
図において、この分岐型ケーブル３８は、支持線３５の外周に略円柱状のケーブル保持部材３６が取付けられているものである。このケーブル保持部材３６は、前記支持線３５の長手方向に沿って複数個設けられていて、その間隔はほぼ等間隔となっている。また、このケーブル保持部材３６には、その円周に沿って複数個の溝３９が設けられていて、この溝３９に通信ケーブル３７を挿入して通信ケーブル３６を前記支持線３５と平行に保持することができるようになっている。ここで、この溝３９は、略半円状に形成されていて、前記支持線３５に平行に直線状または斜め方向となるように設けられていて、この溝３９に挿入される通信ケーブル３６は、その一部が突出した状態となっている。そして、この分岐型ケーブル３８をマンション等に内部配線した後、このケーブル保持部材３６に保持された通信ケーブル３７を任意の位置でケーブル保持部材３６から外すことにより、通信ケーブル３７をそのまま分岐線として使用することができるようになっている（特許文献１参照。）。
【０００８】
【特許文献１】
特開平１１−３０６８７０号公報（第２−３頁、第３−６図）
【０００９】
【発明が解決しようとする課題】
しかしながら、特許文献１に示す如き図８の分岐型ケーブル３８には、次のような問題があった。
すなわち、従来の分岐型ケーブル３８は、支持線３５に対して、複数個のケーブル保持部材３６が間隔をもって設けられていたので、該ケーブル保持部材３６が取付けられた状態で分岐型ケーブル３８をドラム等に巻き付けると、このケーブル保持部材３６に保持された通信ケーブル３７が一定の間隔で圧迫されてしまい、通信ケーブル３７の特性が劣化してしまうという事態が生じていた。
【００１０】
また、前記分岐型ケーブル３８の溝３９を前記支持線３５の長手方向に対して斜め方向に設けた場合は、この溝３９に保持される通信ケーブル３７に一方向に撚りが施された状態となり、分岐型ケーブル３８を内部配線した後にケーブル保持部材３６からこの通信ケーブル３７を取り外すのが困難であるという問題があった。
【００１１】
さらに、この分岐型ケーブル３８は、１つの溝３９に対して挿入できる通信ケーブル３７の数が１本だけであったので、分岐型ケーブル３８全体の外径が大きい割には保持できる通信ケーブル３７の本数が少なかった。このため、ケーブル保持部材３６に多くの通信ケーブル３７を保持させる必要がある場合には、その分溝３９の数を増やさなければならず、この溝３９の数を増やすためには、ケーブル保持部材３６の外径を極端に大きくしなければならなかった。そして、このような分岐型ケーブル３８の外径を大きくすると、マンション等の狭い隙間にケーブル保持部材３６を通すのが困難となってしまっていた。また、この溝３９は、１つの溝で保持できる通信ケーブル３７は１条だけだったので、２本１組となる構成のめがね型ケーブルを保持させることができなかった。
【００１２】
本発明の目的は、建物等に配線した後に通信ケーブルを容易に取り出して分岐させることができ、より多くの通信ケーブルを保持することができる分岐型ケーブルを提供することにある。
【００１３】
【課題を解決するための手段】
上記目的を達成するために、請求項１に記載の分岐型ケーブルは、支持線を備え、該支持線を中心にして該支持線の外周に断面円形状のケーブル保持部材を設け、該ケーブル保持部材の外周に中心軸方向に２条のケーブルを重ね合わせて収納可能なケーブル保持溝をＳＺ撚りに複数条形成し、前記複数条のケーブル保持溝にケーブルを保持して形成するものである。
このように構成することにより、請求項１に記載の発明によると、ケーブル保持部材に２条のケーブルを収納可能なケーブル保持溝を設けたので、多くのケーブルを収納可能な分岐型ケーブルを得ることができる。また、このケーブル保持溝をＳＺ撚りしたので、ケーブルをケーブル保持溝に確実に保持させることができると共に、この保持されたケーブルを容易に取り出すことが可能で、ケーブルの配線における作業性にも優れた分岐型ケーブルを得ることができる。
【００１４】
上記目的を達成するために、請求項２に記載の分岐型ケーブルは、前記複数条のケーブル保持溝のそれぞれの溝位置を、その深さ方向中心が支持線中心から等角度になるように配置している。
このように構成することにより、請求項２に記載の発明によると、ケーブル保持溝が支持線中心から等角度に配置されていることから、ケーブル保持溝の数に対して、収納するケーブル４の本数が少ない場合でも、分岐型ケーブルの一部分だけに重みが掛かるのを防ぐことができ、ケーブル保持部材に掛かる重みのバランスを均等にすることができる。
【００１５】
上記目的を達成するために、請求項３に記載の分岐型ケーブルは、記複数条のケーブル保持溝５が、深さ方向に、ダルマ型に形成したものとなっている。
このように構成することにより、請求項３に記載の発明によると、ケーブル保持溝をダルマ型としたので、このダルマ型のケーブル保持溝でケーブルを挟み込むように収納するので、ケーブルがケーブル保持溝から容易に抜けてしまうことがなく、より安定した状態でケーブルを収納することが可能な分岐型ケーブルを得ることができる。
【００１６】
上記目的を達成するために、請求項４に記載の分岐型ケーブルは、前記ケーブル保持部材が、ポリブタジエンゴム等のゴム系材質、軟質プラスチック等の柔軟材、ポリエチレン系エラストマー等の弾性体、高発泡ポリエチレン、高発泡ポリプロピレンのいずれかとなっている。
このように構成することにより、請求項４に記載の発明によると、ケーブル保持部材に弾性をもたせることによって、ケーブル保持溝を手で開いてケーブルを嵌め込むことができ、ケーブルを取り出す際にも、ケーブル保持溝を手で開いてケーブルを取り出しすることが可能となり、容易にケーブルの分岐をすることができるようになる。
【００１７】
【発明の実施の形態】
以下、本発明に係る分岐型ケーブルの実施の形態について説明する。
図１は、本発明に係る分岐型ケーブルの一実施の形態を示す斜視図であって、図２は、本発明に係る分岐型ケーブルの端面図である。なお、図２における分岐型ケーブルの端面図は、説明の便宜上、ケーブルが省略された状態が示されている。
【００１８】
図１において、１は、本発明に係る分岐型ケーブルである。この分岐型ケーブル１は、支持線２を備え、この支持線２を中心にして該支持線２の外周に設けられたケーブル保持部材３と、該ケーブル保持部材３に保持された通信用のケーブル４とを有する構造となっている。この分岐型ケーブル１の支持線２は、マンション等の建物の内部配線においてフック等に接続して吊下げられるものであって、たとえば、１．４ｍｍφの亜鉛めっき鋼線を７本撚り合わせた鋼線である。そして、このような鋼線からなる支持線２がケーブル保持部材３に被覆されている。このケーブル保持部材３は、支持線２を全長にわたって被覆していて、かつ、このケーブル保持部材３は、通信用のケーブル４を保持することができるようになっている。本実施の形態において、この通信ケーブル４としてはＬＡＮ用ケーブルが用いられている。
【００１９】
また、ケーブル保持部材３は、弾性を有する材料で形成されている。本実施の形態において、このケーブル保持部材３を構成する弾性を有する材料としては、ポリブタジエンゴム等のゴム系材質や、軟質塩化ビニル樹脂のような軟質プラスチック等の軟質材、ポリプロピレン、ポリエチレン系エラストマーなどの弾性体を使用することができ、さらには、高発泡させたポリエチレンやポリプロピレン等を用いることができる。
【００２０】
また、図１および図２において、ケーブル保持部材３には複数個のケーブル保持溝５が形成されている。このケーブル保持溝５は、前記ケーブル保持部材３の外周端から中心方向に向かって形成された溝である。本実施の形態において、このケーブル保持溝５は、ケーブル保持部材３の縦断面にダルマ型に形成されていて、１つのケーブル保持溝５の内側溝５ａと外側溝５ｂとに、通信用のケーブル４をそれぞれ１本ずつ保持させることができるようになっている。このケーブル保持溝５の開口している箇所は、前記ケーブル保持溝５が保持するケーブル４の外径よりもやや小さくなっている。
【００２１】
本実施の形態においては、ケーブル保持部材３には、６つのケーブル保持溝５が形成されていて、この６つのケーブル保持溝５の深さ方向中心が前記支持線２の中心から等角度となるように配置されている。そして、このケーブル保持溝５は、中心軸方向に２条のケーブルを重ね合わせて収納することができるように形成されていて、内側溝５ａと外側溝５ｂとを有している。このケーブル保持溝５の幅は、保持するケーブル４の外径に合わせた幅となっている。また、このケーブル保持溝５の深さは、２条のケーブルを保持することができるように、保持するケーブルの外径の大きさの約２倍の深さに形成されている。なお、本実施の形態におけるケーブル保持溝５は、内側溝５ａの径と外側溝５ｂの径とが同一となっている。
【００２２】
また、このケーブル保持溝５は、前記ケーブル保持部材３の長手方向に連続して形成されていて、この連続するケーブル保持溝５はＳＺ撚りが施されている。このケーブル保持溝５は、分岐型ケーブル１の全長にわたってＳＺ撚りが施されていて、このＳＺ撚りが施されたケーブル保持溝５には、１つのケーブル保持溝５の内側溝５ａと外側溝５ｂに２条のケーブル４が保持された状態となっている。そして、このケーブル４は、連続するケーブル保持溝５のＳＺ撚りに合わせて保持された状態となっている。
【００２３】
このようにケーブル保持溝５にＳＺ撚りを施すことによって、ケーブル４がＳＺ撚りされた状態でケーブル保持部材３に保持されるので、ケーブル保持部材３からケーブル４が容易に外れてしまうことがない。また、ケーブル保持部材３からケーブル４を取り外す際には、前記ケーブル保持溝５のＳＺ撚りに沿ってケーブル４を取り外すことができるので、ケーブル４の取り外し時に分岐型ケーブル１の周囲を１周させることがなく、ケーブル４を容易に取り外して配線することができる。
【００２４】
また、ケーブル保持溝５はＳＺ撚りとなっているので、ケーブル保持溝５の数に対して保持されているケーブル４が少ない場合でも、分岐型ケーブル１の配線時に、ケーブル４が保持されていないケーブル保持溝５が側圧を受けたり、分岐型ケーブル１をドラム巻きした際に外部から力が掛かっても、ケーブル保持溝５が潰れ難くなり、ケーブル保持溝５が歪んでしまうのを防ぐことができる。
【００２５】
図３には、本発明に係る分岐型ケーブル１の端面図が示されている。
図において、分岐型ケーブル１は、端面が略円形状のケーブル保持部材３の円周に沿って、ダルマ型のケーブル保持溝５が６つ設けられていて、１つのケーブル保持溝５に２条のケーブル４を重ね合わせて収納することができるようになっている。本実施の形態において、このケーブル保持溝５には、単心のケーブルを最大で１２本収納することができ、このダルマ型のケーブル保持溝５の内側溝５ａと外側溝５ｂとには、それぞれＬＡＮ用のケーブル４ａ，４ｂが保持されている。
【００２６】
このダルマ型のケーブル保持溝５の１つに単心のケーブル４ａ，４ｂを保持させる際には、まず、配線時に後から取り出す（建物の上階に配線する）長いケーブル４ａを前記ケーブル保持溝５の内側溝５ａに保持させる。そして、ケーブル保持溝５の外側溝５ｂには、配線時に先に取り出す（建物の下階に配線する）短いケーブル４ｂを保持させる。このように、ケーブル保持溝５の内側溝５ａには、長いケーブル４ａを保持させて、ケーブル保持溝５の外側溝５ｂには、短いケーブル４ｂを保持させる。このように、通常、後から配線する長いケーブルを前記ケーブル保持溝５の内側溝５ａに保持させて、先に配線する短いケーブルを前記ケーブル保持溝５の外側溝５ｂに保持させることにより、分岐型ケーブル１を建物等に配線する際に、建物の１階や２階など、所望のケーブル長さが短い箇所に使用するケーブル４ｂを分岐型ケーブル１から先に取り出して配線し、その後に長いケーブル４ａを取り出して、建物の上の階に配線することができるようになっている。
【００２７】
また、本実施の形態において、分岐型ケーブル１のケーブル保持溝５には、単心のケーブル４ａ，４ｂの他に、ＬＡＮ用ケーブルが２本１組となっためがね型ケーブル４ｃが保持された状態となっている。図において、このめがね型ケーブル４ｃは、同径の２本のＬＡＮ用ケーブルを並列に連結して、略めがね型に形成されたケーブルである。そして、このようなめがね型ケーブル４ｃをダルマ型の前記ケーブル保持溝５に挿入して、前記ケーブル保持溝５の内側溝５ａと外側溝５ｂとに１本のめがね型ケーブル４ｃを収納している。
【００２８】
また、ここで、ケーブル保持溝５の数に対して収納するケーブル４の数が少ない場合、たとえば２箇所のケーブル保持溝５にケーブルを１本ずつ保持させる場合には、ケーブル保持溝５同士が対向する位置にケーブル４を１本ずつ保持させることが望ましい。ケーブル保持溝５は、深さ方向中心が支持線中心から等角度となる位置に設けられているため、ケーブル４をこのように配置すると、ケーブル保持溝５の数に対して、収納するケーブル４の本数が少ない場合でも、分岐型ケーブル１の一部分だけに重みが掛かるのを防ぐことができ、ケーブル保持部材３に掛かるケーブル４の重みのバランスを均等にすることができる。
【００２９】
そして、このケーブル保持溝５にこれらのケーブル４ａ，４ｂ，４ｃを保持させるには、ケーブル保持溝５の開口した箇所を手などで広げてケーブル４ａ，４ｂ，４ｃを嵌め込むことができるようになっている。このケーブル保持部材３は上述のように弾性を有する素材で形成されているので、作業者が容易にケーブル保持溝５を手で広げて、ケーブル４ａ，４ｂ，４ｃを容易に挿入させることができる。そして、このケーブル保持溝５を手で広げてケーブル４ａ，４ｂ，４ｃを挿入させ、作業者がケーブル保持溝５から手を離すと、ケーブル保持溝５の開口した箇所が弾性により元に戻って、ケーブル保持溝５の開口した箇所が再び狭くなって、ケーブル保持部材３に保持されたケーブル４ａ、４ｂ、４ｃが抜け落ちないようになっている。
【００３０】
なお、本実施の形態においては、分岐型ケーブル１に単心のケーブルと２本１組のめがね型ケーブルとが混在した例を示したが、これに限るものではなく、１条のケーブルだけをケーブル保持溝に複数本保持させることも可能である。また、この６個全てのケーブル保持溝に２本１組からなるめがね型ケーブルを６組保持させることも可能となっている。
【００３１】
また、図３の分岐型ケーブル１は、配線する通信用のケーブルの本数に合わせて、図４に示すようにケーブル保持部材３の外径を大きくして、ケーブル保持溝５の数を増やすことができる。
図４において、この分岐型ケーブル１０は、図３における分岐型ケーブルのケーブル保持部材の外径を大きくして、該ケーブル保持部材が備えるケーブル保持溝の数を増やしたものである。図において、分岐型ケーブル１０のケーブル保持部材１３には、円周方向に向かって適宜の間隔をおいて１２個のケーブル保持溝１５が設けられている。そして、この１２個のケーブル保持溝１５は、図３に示すケーブル保持溝５と同様にダルマ型に形成されていて、１つのケーブル保持溝１５に２条のケーブルを重ね合わせて収納することが可能となっている。本実施の形態においては、このケーブル保持溝１５には２本１組のめがね型ケーブル１４が保持されていて、１２個の各ケーブル保持溝１５に、１２組のめがね型ケーブル１４が保持されている状態となっている。
【００３２】
このように、ケーブル保持部材の外径を大きくして、ケーブル保持溝の数を増やすことで、多くのケーブルを収納可能な分岐型ケーブルを得ることができる。
【００３３】
なお、本実施の形態においては、ケーブル保持溝１５に保持されたケーブル１４が全てめがね型ケーブルである例を示したが、これに限るものではなく、１２個のケーブル保持溝１５に、ＬＡＮ用または電話用などの単心のケーブルを２本ずつ挿入して、分岐型ケーブル１０に合計２４本の単心のケーブルを保持させることも可能である。また、この分岐型ケーブル１０のケーブル保持溝１５には、このような単心のケーブルとめがね型ケーブルとを混在させることも可能となっている。
【００３４】
また、図５には、本発明に係る分岐型ケーブルの他の実施の形態を示す端面図が示されている。
【００３５】
図における分岐型ケーブル２０は、図３に示す分岐型ケーブルのケーブル保持部材に、ＬＡＮ用または電話用ケーブルと共に同軸ケーブルを保持させることができるようにしたものである。
図５において、分岐型ケーブル２０は、前記分岐型ケーブルと同様に、ケーブル保持部材２３に６個のケーブル保持溝２５が設けられていて、該ケーブル保持部材２５は、ダルマ型に形成されている。本実施の形態において、このケーブル保持溝２５は、同軸ケーブル２４を収納するために、外側溝２５ｂを同軸ケーブル２４の外径に合わせて大きく形成したものであって、内側溝２５ａの内径よりも外側溝２５ｂの内径の方が大きくなっている。そして、このケーブル保持溝２５における内側溝２５ａには、図３と同様にＬＡＮ用のケーブル４が収納されていて、外側溝２５ｂには、該ＬＡＮ用のケーブル４よりも外径の大きな同軸ケーブル２４が収納されている。
【００３６】
このように、ケーブル保持溝２５の大きさを、保持させるケーブルの外径に合わせて変えることによって、分岐型ケーブル２０に、ＬＡＮ用または電話用のケーブル４と同軸ケーブル２４とを混在させることができる。
【００３７】
なお、ここで、ケーブル保持溝２５に、外径の異なるケーブルを保持させる際には、ケーブル保持溝２５を内側溝２５ａの内径よりも外側溝２５ｂの内径が大きなダルマ型に形成させて、外径が大きい方のケーブルを外側溝２５ｂに保持させるようにする。これは、ケーブル保持溝２５の溝の大きさを、保持するケーブルの外径に合わせて決めているので、仮に外側溝２５ｂよりも内側溝２５ａの方が大きいと、外側溝２５ｂの内径よりも外径の大きなケーブルを挿入することができなくなり、外径の大きなケーブルを内部溝２５ａに保持させることができなくなるからである。このように、外径の異なるケーブルを保持させる場合は、ケーブル保持溝２５の内側溝２５ａよりも外側溝２５ｂの内径を大きくして、外径の小さいケーブルを内側溝で保持し、外径の大きいケーブルを外側溝で保持することができる。
【００３８】
なお、本実施の形態において、通信用ケーブルとしてＬＡＮ用ケーブルを例に挙げて説明したが、これに限るものではなく、電話用ケーブルを用いても本実施の形態と同様の構成とすることができる。
【００３９】
また、特に図示しないが、２条からなるケーブル保持溝の内側溝と外側溝とを共に同軸ケーブルの外径に合わせて同一の内径とすることで、１個のケーブル保持溝に２条の同軸ケーブルまたは２本１組のめがね型の同軸ケーブルを保持させることも可能である。
【００４０】
なお、本実施の形態において、分岐型ケーブルに形成されるケーブル保持溝は、ケーブル保持部材の縦断面にダルマ型に形成された例が示されているが、このケーブル保持溝は、ダルマ型形状に限られるものではない。このケーブル保持溝の形状は、ケーブル保持部材の外周から中心軸方向に向かって２条のケーブルを重ね合わせて収納可能な形状であれば断面矩形状であっても楕円形状であってもよい。
【００４１】
【発明の効果】
本発明は、以上説明したように構成されているので、以下に記載されるような効果を奏する。
【００４２】
請求項１に記載の発明によれば、複数本の通信用のケーブルを保持するケーブル保持部材を分岐型ケーブルの全長に設けて、このケーブル保持部材の円周から中心方向に向かってケーブル保持溝を形成したので、ケーブルをケーブル保持溝に保持させ、このケーブルを任意の箇所で分岐型ケーブルから分岐させて配線させることが可能となり、分岐型ケーブルにおける通信用のケーブルの配線作業を容易に行うことができる。また、ケーブル保持部材が分岐型ケーブル全長に設けられていることにより、分岐型ケーブルをドラム巻きしても、通信ケーブルの劣化を防ぐことができるようになる。
【００４３】
また、ケーブル保持部材に２条のケーブルを収納可能なケーブル保持溝を設けたので、多くのケーブルを収納可能な分岐型ケーブルを得ることができる。また、このケーブル保持溝をＳＺ撚りしたので、ケーブルをケーブル保持溝に確実に保持させることができると共に、この保持されたケーブルを容易に取り出すことが可能で、ケーブルの配線における作業性にも優れた分岐型ケーブルを得ることができる。
【００４４】
請求項２に記載の発明によれば、ケーブル保持溝が支持線中心から等角度に位置することから、ケーブル保持溝の数に対して、収納するケーブルの本数が少ない場合でも、分岐型ケーブルの一部分だけに重みが掛かるのを防ぐことができ、ケーブル保持部材に均等にケーブルを保持させることができる。
【００４５】
請求項３に記載の発明によれば、ケーブル保持溝をダルマ型としたので、このダルマ型のケーブル保持溝でケーブルを挟み込むように収納することができ、ケーブルがケーブル保持溝から容易に抜けてしまうことがなく、ケーブルを安定して収納することが可能な分岐型ケーブルを得ることができる。
【００４６】
請求項４に記載の発明によれば、ケーブル保持部材が弾性を有するので、ケーブル保持溝の開口した箇所を手などで容易に開くことができ、前記ケーブル保持溝にケーブルを容易に挿入させることができるので、作業性に優れた分岐型ケーブルを提供することができる。
【図面の簡単な説明】
【図１】本発明に係る分岐型ケーブルの一実施の形態を示す斜視図である。
【図２】本発明に係る分岐型ケーブルの端面図である。
【図３】本発明に係る分岐型ケーブルの一実施の形態を示す端面図である。
【図４】図３における分岐型ケーブルのケーブル保持溝を多く形成した例を示す端面図である。
【図５】本発明に係る分岐型ケーブルの他の実施の形態を示す端面図である。
【図６】従来の分岐型ケーブルの端面図である。
【図７】従来の分岐型ケーブルの使用方法を示す概念図である。
【図８】従来のケーブル保持部材を有する分岐型ケーブルの端面図である。
【符号の説明】
１……………………………分岐型ケーブル
２……………………………支持線
３……………………………ケーブル保持部材
４……………………………ケーブル
５……………………………ケーブル保持溝
【図１】
2004227831.tif 000003
【図２】
2004227831.tif 000004
【図３】
2004227831.tif 000005
【図４】
2004227831.tif 000006
【図５】
2004227831.tif 000007
【図６】
2004227831.tif 000008
【図７】
2004227831.tif 000009
【図８】
2004227831.tif 000010